(57)【特許請求の範囲】
【請求項１】
待機時に低消費電力状態に移行した後に、公衆回線を介して送られてきたファクシミリ網呼出信号を検出したときに該低消費電力状態から復帰してファクシミリ通信を実行するファクシミリ装置であって、
回線を介する通信の実行時に変復調処理を行うＤＳＰ（Digital Signal Processor）が、低消費電力状態に移行した後の公衆回線を介するファクシミリ網呼出信号の検出を行うことを特徴とするファクシミリ装置。
【請求項２】
前記低消費電力状態時には、前記ＤＳＰのＤＳＰクロックを公衆回線を介するファクシミリ網呼出信号を検出可能な範囲内で下げることを特徴とする請求項１に記載のファクシミリ装置。
【請求項３】
ファクシミリ装置全体を制御するとともに、待機時には低消費電力状態に移行する制御部を備えて、該制御部は前記ＤＳＰからのファクシミリ網呼出信号の検出通知を受け取って定常状態に復帰することを特徴とする請求項１または２に記載のファクシミリ装置。
【請求項４】
ファクシミリ装置に搭載されて低消費電力状態時に動作するファクシミリ網呼出信号検出部であって、
回線を介する通信の実行時に変復調処理を行うＤＳＰ（Digital Signal Processor）が、待機時にはＤＳＰクロックを下げて低消費電力状態に移行して公衆回線を介するファクシミリ網呼出信号の検出を行うことを特徴とするファクシミリ網呼出信号検出部。
【発明の詳細な説明】
【０００１】
【発明の属する技術分野】
本発明は、ファクシミリ装置およびファクシミリ網呼出信号検出部に関し、詳しくは、低消費電力状態に移行可能なものに関する。
【０００２】
【従来の技術】
従来より、公衆回線に接続されて、相手先との間でファクシミリ通信を行うことにより、原稿から読み取った画データを送受信するファクシミリ装置が知られており、近年の情報量の増大に伴って多用されている。
【０００３】
このようなファクシミリ装置は、図２に示すように、ＮＣＵ（網制御装置）１、モデム２および制御部３などを備えることにより構築されており、近年の環境保護の観点から省エネルギーの必要性が広がるにつれて、低消費電力化が要求され、特に、待機時の低消費電力化は重要な課題となっている。
【０００４】
これらの理由から、待機時において、通信時の変復調処理を行なうモデム２のＤＳＰや制御部３などをスリープ状態に移行させる低消費電力設計がなされるが、ファクシミリ装置は、待機時にも回線からの呼出信号（１６Ｈｚリンギング信号、ファクシミリ網呼出信号、など）を検出する必要があることから、モデム２のＤＳＰや制御部３などをスリープ状態とする低消費電力状態に移行した後にも、ファクシミリ網呼出信号を検出することを確保するために、独立してファクシミリ網呼出信号の検出を行うＦ網呼出信号検出回路４を準備することが一般に行われている。
【０００５】
【発明が解決しようとする課題】
しかしながら、このような従来のファクシミリ装置にあっては、低消費電力状態時にファクシミリ網呼出信号の検出を行うために、独立したＦ網呼出信号検出回路４が必要であったため、その回路４の分だけコスト高になっていた。
【０００６】
そこで、本発明は、低消費電力状態時でのファクシミリ網呼出信号の検出を安価な回路構成で行い得るようにして、低コストな装置でも低消費電力化を実現することを目的とする。
【０００７】
【課題を解決するための手段】
上記課題を解決する第１の発明は、待機時に低消費電力状態に移行した後に、公衆回線を介して送られてきたファクシミリ網呼出信号を検出したときに該低消費電力状態から復帰してファクシミリ通信を実行するファクシミリ装置であって、回線を介する通信の実行時に変復調処理を行うＤＳＰ（Digital Signal Processor）が、低消費電力状態に移行した後の公衆回線を介するファクシミリ網呼出信号の検出を行うことを特徴とするものである。
【０００８】
上記課題を解決する第２の発明は、上記第１の発明の構成に加え、前記低消費電力状態時には、前記ＤＳＰのＤＳＰクロックを公衆回線を介するファクシミリ網呼出信号を検出可能な範囲内で下げることを特徴とするものである。
【０００９】
上記課題を解決する第３の発明は、上記第１または２の発明の構成に加え、ファクシミリ装置全体を制御するとともに、待機時には低消費電力状態に移行する制御部を備えて、該制御部は前記ＤＳＰからのファクシミリ網呼出信号の検出通知を受け取って定常状態に復帰することを特徴とするものである。
【００１０】
上記課題を解決する第４の発明は、ファクシミリ装置に搭載されて低消費電力状態時に動作するファクシミリ網呼出信号検出部であって、回線を介する通信の実行時に変復調処理を行うＤＳＰ（Digital Signal Processor）が、待機時にはＤＳＰクロックを下げて低消費電力状態に移行して公衆回線を介するファクシミリ網呼出信号の検出を行うことを特徴とするものである。
【００１１】
これらの発明では、定常動作時に変復調処理を行うＤＳＰに低消費電力状態に移行した後のファクシミリ網呼出信号の検出をも行わせることができ、別個に特別な回路を準備することを省くことができる。
【００１２】
また、その低消費電力状態時には、ＤＳＰのＤＳＰクロックをファクシミリ網呼出信号を検出可能な範囲内で下げることにより、低消費電力化を図ることができ、また、ファクシミリ装置全体を制御する制御部を低消費電力状態に移行可能にして、その制御部はＤＳＰからのファクシミリ網呼出信号の検出通知を受け取って定常状態に復帰するようにすることにより、低消費電力化を図ることができる。
【００１３】
【発明の実施の形態】
以下、本発明を図面に基づいて説明する。図１は本発明に係るファクシミリ網呼出信号検出部を搭載するファクシミリ装置の一実施形態を示す図である。
【００１４】
図１において、ファクシミリ装置は、電話回線に接続するための網制御を行うＮＣＵ（網制御装置）１１と、アナログ電話回線を介するファクシミリ通信を実行可能に中継接続するためのモデム部１２と、これらＮＣＵ１１およびモデム部１２と共に不図示のスキャナやプロッタなどの装置各部を統括制御してファクシミリ通信を実行する制御部１３とを備えている。
【００１５】
モデム部１２は、ＮＣＵ１１を介して伝送する信号のＡ／Ｄ変換あるいはＤ／Ａ変換を行うモデムコーデック部１２ａと、このモデムコーデック部１２ａおよび制御部１３の間で変復調処理を行うＤＳＰ（Digital Signal Processor）１２ｂとにより所謂、モデムとして機能するようになっており、ＤＳＰ１２ｂは、電話回線を介して送られてくるファクシミリ網呼出信号を検出して、受信制御を開始するように、制御部１３にその検出通知を発行するようになっている。すなわち、ＤＳＰ１２ｂがファクシミリ網呼出信号検出部をも構成している。
【００１６】
制御部１３は、例えば、予め設定されている時間を超えても待機状態が継続する場合には、変復調処理などの制御を行う必要がないことから、低消費電力化のために、例えば、特定の信号を受け取るだけの機能を残して装置各部の消費電力を最低限に抑えるスリープ状態に移行するようになっており、モデム部１２のＤＳＰ１２ｂは、低消費電力状態に移行した後に、電話回線を介してファクシミリ網呼出信号が到達した場合には、その信号を検出して制御部１３に検出通知を発行することにより、スリープ状態から装置各部を動作可能に復帰させるウェークアップ処理を制御部１３に行わせて受信制御を開始させるようになっている。
【００１７】
このとき、ＤＳＰ１２ｂは、ファクシミリ網呼出信号検出に必要なＭＩＰＳ（Millions of Instructions Per Second）値が、定常動作時の変復調処理に必要なＭＩＰＳ値よりも十分小さいために、その分だけＤＳＰクロックを下げて使用することができることから、制御部１３によりファクシミリ網呼出信号を検出可能な範囲内でＤＳＰクロックを下げて、ＤＳＰ１２ｂ自身も低消費電力状態に移行するようになっており、ファクシミリ網呼出信号の検出通知を受け取った制御部１３によるウェークアップ処理によりＤＳＰクロックを変復調処理に必要な値に戻されてから定常動作を開始するようになっている。
【００１８】
このように本実施形態においては、定常動作時に変復調処理を行うＤＳＰ１２ｂが低消費電力状態に移行した後にもファクシミリ網呼出信号を検出して、ファクシミリ装置全体を制御する制御部１３にその検出通知を発行するようにすることにより、従来技術のように独立したファクシミリ網呼出信号検出回路を配設することなく、制御部１３を低消費電力状態に移行可能にすることができ、そのＤＳＰ１２ｂ自体もファクシミリ網呼出信号を検出可能な範囲内でＤＳＰクロックを下げて低消費電力状態に移行することができる。したがって、低コストな装置構成でも低消費電力化を図ることができる。
【００１９】
【発明の効果】
本発明によれば、定常動作時に変復調処理を行うＤＳＰにそのファクシミリ網呼出信号の検出をも行わせることにより、低消費電力状態時にファクシミリ網呼出信号の検出をするための特別な回路を別個に準備することを省くことができ、また、低消費電力状態時には、ファクシミリ網呼出信号を検出可能な範囲内でそのＤＳＰのＤＳＰクロックを下げたり、そのＤＳＰからファクシミリ網呼出信号の検出通知を受け取って定常状態に復帰するファクシミリ装置全体を制御する制御部を備えることにより、より低消費電力化を図ることができる。
【００２０】
したがって、安価な回路構成で低消費電力状態に移行した後のファクシミリ網呼出信号の検出を行うことができるとともに、さらに低消費電力化を図ることができる。
【図面の簡単な説明】
【図１】本発明に係る本発明に係るファクシミリ網呼出信号検出部を搭載するファクシミリ装置の一実施形態を示す図であり、その概略要部構成を示すブロック図である。
【図２】その従来技術を示すブロック図である。
【符号の説明】
１１ ＮＣＵ
１２ モデム部
１２ａ モデムコーデック部
１２ｂ ＤＳＰ
１３ 制御部
【図１】
0003715181.tif 000002
【図２】
0003715181.tif 000003